(57)【要約】【課題】大型のコンクリート製品であっても容易に連結することができ、その連結面の損傷も防止できるコンクリート製品の連結構造を提供すること。【解決手段】一方のコンクリート製品の連結面１に着脱可能に取り付けた連結具３と、他方のコンクリート製品の連結面２に設けた凹部４とを嵌合させることによりコンクリート製品を連結する連結構造において、連結具３を連結面１に対して遊びを持って取り付け、かつ、連結具３に連結面１に向かって拡径するテーパー面３ａを設けた。【選択図】図１
2007092384.tif 000002
【特許請求の範囲】
【請求項１】
一方のコンクリート製品の連結面に着脱可能に取り付けた連結具と、他方のコンクリート製品の連結面に設けた凹部とを嵌合させることによりコンクリート製品を連結する連結構造において、
前記連結具は、連結面に対して遊びを持って取り付けられ、かつ、連結面に向かって拡径するテーパー面を有することを特徴とするコンクリート製品の連結構造。
【発明の詳細な説明】
【技術分野】
【０００１】
本発明は、ボックスカルバート、アーチカルバート等の主に大型のコンクリート製品を連結するための連結構造に関する。
【背景技術】
【０００２】
元々コンクリート製品の連結方法は、一方のコンクリート製品の連結面（小口）に凸部を設けると共に、他方のコンクリート製品の連結面に凹部を設け、連結するコンクリート製品同士を一旦所定位置近くまで誘導し、その後、所定位置に落とし込んで各連結面の凸部と凹部を嵌合させるというものであった。現在では、各連結面に凸部、凹部を設け、それらの連結面にパッキンを取り付けて連結する、いわゆる凸凹インロー式による連結が主流である。
【０００３】
しかし、これらの連結方法には以下のような問題点があった。
【０００４】
まず、ボックスカルバート、アーチカルバート等の大型製品の場合、とくに一度で連結することが求められるが、それぞれの製品を引き寄せる段階で、所定位置に一度で引き寄せることは難しく、引き寄せ途中で連結面に角材等をあてがって所定位置に繰り返し誘導する必要があるなど、相当の労力を要し、作業に危険も伴う。
【０００５】
さらに、繰り返される所定位置への誘導作業において、一方の連結面に装着されたブチルゴム等からなるパッキンに他方の連結面のコンクリート面が当たり、パッキンが損傷してパッキン機能が低下する。また、所定位置を見込んで連結された位置が違うため製品を再度切り離す場合においては、一旦押し潰されたパッキンが損傷し捩れたりするだけでなく、パッキンが有する復元力、付着力等の品質が低下する。その後、捩れ等を修正して再度所定位置にて連結されることになるが、パッキンの損傷は回復せず、連結性、止水性が厳しく求められる下水道等の分野においては連結性の改善が求められている。
【０００６】
これに対して、特許文献１には、継ぎ手金具を使用した連結方法が開示されている。これは、コンクリート製品の各連結面に挿入孔を設け、棒状の継ぎ手金具の一端を一方の連結面の挿入孔に挿入し、継ぎ手金具の他端を他方の連結面の挿入孔に挿入することにより連結するようにしたものである。この継ぎ手金具を使用することにより、継ぎ手金具と挿入孔の位置を目安として連結を行うことができ、連結性はある程度改善される。
【０００７】
しかしながら、このような継ぎ手金具を使用した連結方法では、連結時に継ぎ手金具を連結面の挿入孔に挿入する必要があり、小型製品の場合はともかく、ボックスカルバート、アーチカルバート等の大型製品の場合、継ぎ手金具を連結面の挿入孔に挿入する作業は難しく、作業に危険も伴う。
【特許文献１】特開平１０−８８９２号公報
【発明の開示】
【発明が解決しようとする課題】
【０００８】
本発明が解決しようとする課題は、大型のコンクリート製品であっても容易に連結することができ、その連結面の損傷も防止できるコンクリート製品の連結構造を提供することにある。
【課題を解決するための手段】
【０００９】
本発明は、コンクリート製品の連結に使用する連結具に誘導機能を持たせることによって上記課題を解決した。
【００１０】
すなわち、本発明は、一方のコンクリート製品の連結面に着脱可能に取り付けた連結具と、他方のコンクリート製品の連結面に設けた凹部とを嵌合させることによりコンクリート製品を連結する連結構造において、本発明の連結は、従来の点位置による連結と違って、面での連結であることに加えて、前記連結具を連結面に対して遊びを持って取り付け、かつ、前記連結具に連結面に向かって拡径するテーパー面を設けたものである。
【００１１】
このように連結具にテーパー面を設けることで、連結具と嵌合する凹部の位置が若干ずれていたとしてもテーパー面に沿って誘導されながら所定位置で嵌合する。さらに、連結具を連結面に対して遊びを持って取り付けることで、連結具と嵌合する凹部の位置のずれに応じて連結具自体もずれを解消する方向に移動するので、大型のコンクリート製品であっても容易に連結することができる。
【発明の効果】
【００１２】
本発明は以下の効果を奏する。
【００１３】
（１）連結具に誘導機能を持たせたので、大型のコンクリート製品であっても容易に連結することができる。
【００１４】
（２）連結作業を何度も繰り返す必要がなく、一度で連結できるため、連結面あるいは連結面に装着したパッキンに損傷を与えることなく、その品質を保持でき、止水性、連結性等を維持できる。
【００１５】
（３）従来の繰り返しの連結作業に比べ一度で連結できるため、労力が極めて低減され、安全に作業できる。
【００１６】
（４）連結された後は、連結具が連結ロック機能を発揮し、所定位置に固定されることで以後の諸作業を円滑に遂行できる。
【発明を実施するための最良の形態】
【００１７】
以下、本発明をボックスカルバートの連結に適用した実施例に基づき本発明の実施の形態を説明する。
【００１８】
図１は、本発明を適用したボックスカルバートを示し、（ａ）は正面図、（ｂ）は（ａ）のＡ−Ａ拡大断面図、（ｃ）は（ａ）のＢ−Ｂ拡大断面図である。なお、図１（ａ）において、その右半分には一方の連結面１側を示し、左半分には反対側の他方の連結面２側を示している。
【００１９】
図１に示すように、ボックスカルバートの一方の連結面１には、その四隅部分または任意部分に連結具３が取り付けられ、他方の連結面２には、連結具３と対応する位置に連結具３と嵌合可能な凹部４が設けられている。そして、連結する一方のボックスカルバートの連結面１に取り付けた連結具３と、他方のボックスカルバートの連結面２に設けた凹部とを嵌合させることによりボックスカルバート同士を連結する。
【００２０】
図２は、連結具の詳細を示し、（ａ）は平面図、（ｂ）は正面図、（ｃ）は底面図である。連結具３は硬質樹脂等で円錐台形状に形成されており、その周面にテーパー面３ａを有している。また、その中心には貫通孔３ｂが開けられている。さらに、連結具３には軽量化と樹脂材料節約のために中空部３ｃが設けられ、補強のためにリブ３ｄが設けられている。
【００２１】
図３は、連結具の連結面への取り付け構造を示す分解図である。同図に示すように、連結具３を取り付ける連結面１には連結具３の底部を装着する装着凹部１ａが設けられ、その中心に対応するコンクリート部にはインサートナット５が埋設されている。そして、連結具３は円錐台形の底面を連結面１側にして、ボルト６を貫通孔３ｂに挿通しインサートナット５に螺着することにより、図１（ｂ）示すように連結面１の装着凹部１ａ内に着脱可能に取り付けられる。この状態で、テーパー面３ａは連結面１に向かって拡径するように配置される。また、図１（ｂ）に示すように、貫通孔３ｂの内径はボルト６の外径より大きく、しかも、連結面１の装着凹部１ａは連結具３の底面よりも大きく形成されているので、連結具３は連結面１に対して遊びを持って取り付けられる。
【００２２】
一方、連結具と嵌合する他方の連結面の凹部は、図１（ｃ）に示すように、連結具３より若干大きな円錐台形状に形成されており、その周面にテーパー面４ａを有している。
【００２３】
以上の構成において、本発明の連結構造による連結要領を図４を参照して説明する。
【００２４】
まず、図４（ａ）に示すように、連結する一方のボックスカルバートの連結面１に取り付けた連結具３を、他方のボックスカルバートの連結面２に設けた凹部４と整合するように近づける。このとき、連結具３は、その遊びの範囲内で最も下側に位置する。その後、さらに近づけると、例えば図４（ｂ）に示すような状態で、連結具３のテーパー面３ａと凹部３のテーパー面４ａが接する。そうすると、各テーパー面３ａ，４ａの作用により、連結具３には上向きの力が作用し、その遊びの範囲内で上側に移動する。一方、凹部４には下向きの力が作用する。このようにして、連結具３と凹部４とが所定位置で嵌合するように誘導され、図４（ｃ）に示すように所定位置で嵌合する。なお、上述の例では、連結具３を凹部４側に近づけるようにしたが、その逆でも良い。
【００２５】
以上のとおり、本発明の連結構造では、連結具３による誘導機能により、容易かつ円滑にコンクリート製品を連結することができる。また、連結時には、図４に示したように、最初に連結具３と凹部４とが接触し、連結面１，２同士が直接接触することがないので、連結面あるいは連結面に装着したパッキン（図示せず）に損傷を与えることもない。
【００２６】
なお、本発明において、連結具は連結面に着脱可能に取り付けられているので、この連結具を使用した連結作業が不要あるいは困難な場合には、連結具を取り外すこともできる。
【産業上の利用可能性】
【００２７】
本発明は、ボックスカルバート、アーチカルバート等の大型製品のほか、小型製品の連結にも適用可能である。
【図面の簡単な説明】
【００２８】
【図１】本発明を適用したボックスカルバートを示し、（ａ）は正面図、（ｂ）は（ａ）のＡ−Ａ拡大断面図、（ｃ）は（ａ）のＢ−Ｂ拡大断面図である。
【図２】連結具の詳細を示し、（ａ）は平面図、（ｂ）は正面図、（ｃ）は底面図である。
【図３】連結具の連結面への取り付け構造を示す分解図である。
【図４】本発明の連結構造によるコンクリート製品の連結要領を示す説明図である。
【符号の説明】
【００２９】
１，２  連結面
１ａ  装着凹部
３  連結具
３ａ  テーパー面
３ｂ  貫通孔
３ｃ  中空部
３ｄ  リブ
４  凹部
４ａ  テーパー面
５  インサートナット
６  ボルト
【図１】
2007092384.tif 000003
【図２】
2007092384.tif 000004
【図３】
2007092384.tif 000005
【図４】
2007092384.tif 000006